(57)【要約】【課題】  ユーザが実際の用紙に書き込んだ筆跡を電子化し，そのデータと課題とを自動的に対応させ，添削を行う。【解決手段】  ユーザが自己学習の対象とする用紙に，予め課題特定情報２７０を電子透かしとして埋め込む構成により，ユーザが書き込んだ後の用紙を用紙読み取り部２５６で読み込むだけで，識別番号を入力するなどの特別な処理を行うことなく課題を特定することができる。また，用紙内の位置関係を示した用紙情報２７２も電子透かしとして埋め込むことにより，ユーザが書き込んだ画像と用紙情報との位置関係から，ユーザが書き込んだ画像の状態を復元することができる。さらに，添削に必要な添削情報２７４を電子透かしとして埋め込むことにより，上記添削情報を他の手段で別途準備することなく添削を行うことも可能になる。【選択図】    図４
2006153947.tif 000002
【特許請求の範囲】
【請求項１】
学習する課題を特定する課題特定情報と，該課題の添削のための手本とする画像を含む添削情報とを記憶する情報記憶部と；
前記課題特定情報を電子透かしとして付与した透かし画像を生成する画像生成部と；
前記生成された透かし画像を出力する画像出力部と；
前記透かし画像が付与され，さらにユーザが書き込みした用紙を読み取る用紙読み取り部と；
読み取った画像の電子透かしから前記課題特定情報を抽出する透かし抽出部と；
前記透かし抽出部が抽出した前記課題特定情報，および，前記情報記憶部の添削情報に基づいて，当該ユーザが書き込みした用紙の添削を行う添削部と；
前記添削の結果を出力する添削結果出力部と；
を備えることを特徴とする，用紙書き込み学習システム。
【請求項２】
前記情報記憶部は，用紙内の位置関係を示した用紙情報をさらに記憶し，
前記画像生成部は，前記課題特定情報と共に前記用紙情報も電子透かしとして付与した画像を生成し，
前記透かし抽出部は，読み取った画像の電子透かしから前記用紙情報も抽出し，
前記透かし抽出部が抽出した前記用紙情報に基づいて，ユーザが用紙に書き込んだ画像を復元する画像復元部をさらに備えることを特徴とする，請求項１に記載の用紙書き込み学習システム。
【請求項３】
前記画像生成部は，前記課題特定情報と共に前記添削情報も電子透かしとして付与した画像を生成し，
前記透かし抽出部は，読み取った画像の電子透かしから前記添削情報も抽出し，
前記添削部は，前記透かし抽出部が抽出した前記課題特定情報および添削情報に基づいて，当該ユーザが書き込みした用紙の添削を行うことを特徴とする，請求項１に記載の用紙書き込み学習システム。
【請求項４】
該用紙書き込み学習システムは，学習装置と，前記学習装置に通信網を介して接続されたユーザ端末を含んで構成され，
前記学習装置は，少なくとも前記情報記憶部を備え，
前記ユーザ端末は，少なくとも前記画像出力部，用紙読み取り部および添削結果出力部を備えることを特徴とする，請求項１に記載の用紙書き込み学習システム。
【請求項５】
前記ユーザ端末は，前記学習装置にユーザおよび／またはユーザ端末を特定するユーザ特定情報を送信する添削要求部をさらに備え，
前記学習装置は，前記ユーザ特定情報を認証し，正規の利用であれば前記ユーザ端末に添削許可を発行する添削認証部をさらに備え，
前記添削部は，前記添削許可が得られた場合のみ用紙の添削を行うことを特徴とする，請求項４に記載の用紙書き込み学習システム。
【請求項６】
前記ユーザ端末は，前記学習装置にユーザ特定情報を送信するライセンス要求部をさらに備え，
前記学習装置は，前記ユーザ特定情報を認証し，正規の利用であれば前記ユーザ端末にライセンス情報を発行するライセンス認証部をさらに備え，
前記画像生成部は，さらに前記ライセンス情報も電子透かしとして付与した画像を生成し，
前記透かし抽出部は，読み取った画像の電子透かしから前記ライセンス情報も抽出し，
前記添削要求部は，前記学習装置に前記ライセンス情報も送信し，
前記添削認証部は，前記ライセンス情報も認証することを特徴とする，請求項５に記載の用紙書き込み学習システム。
【請求項７】
前記ライセンス認証部は，さらに前記ライセンス情報に応じた電子署名も発行し，
前記画像生成部は，さらに前記電子署名も電子透かしとして付与した画像を生成し，
前記透かし抽出部は，読み取った画像の電子透かしから前記電子署名も抽出し，
前記添削要求部は，前記学習装置に前記電子署名も送信し，
前記添削認証部は，前記電子署名も認証することを特徴とする，請求項６に記載の用紙書き込み学習システム。
【請求項８】
前記学習装置は，ユーザにおける該学習システムの利用回数に応じて課金する課金部をさらに備えることを特徴とする，請求項４に記載の用紙書き込み学習システム。
【請求項９】
学習する課題を特定する課題特定情報を記憶する課題情報記憶部と；
前記課題特定情報を電子透かしとして付与した透かし画像を生成する画像生成部と；
前記生成された透かし画像を出力する画像出力部と；
を備えることを特徴とする，画像出力装置。
【請求項１０】
前記課題情報記憶部は，用紙内の位置関係を示した用紙情報をさらに記憶し，
前記画像生成部は，前記課題特定情報と共に前記用紙情報も電子透かしとして付与した画像を生成することを特徴とする，請求項９に記載の画像出力装置。
【請求項１１】
前記課題情報記憶部は，課題の添削のための手本とする画像を含む添削情報をさらに記憶し，
前記画像生成部は，前記課題特定情報と共に前記添削情報も電子透かしとして付与した画像を生成することを特徴とする，請求項９に記載の画像出力装置。
【請求項１２】
ユーザおよび／またはユーザ端末を特定するユーザ特定情報を含む登録情報に基づいて，ライセンス情報を発行するライセンス発行部と；
前記ライセンス発行部が発行したライセンス情報を含むデータを該画像出力装置の秘密鍵で暗号化し，電子署名を発行する電子署名発行部と；
をさらに備えることを特徴とする，請求項９に記載の画像出力装置。
【請求項１３】
学習する課題を特定する課題特定情報を電子透かしとして埋め込んだ透かし画像が付与され，さらにユーザが書き込みした用紙を読み取る用紙読み取り部と；
読み取った画像の電子透かしから前記課題特定情報を抽出する透かし抽出部と；
前記透かし抽出部が抽出した前記課題特定情報，および，該添削装置に記憶された，前記課題の添削のための手本とする画像を含む添削情報に基づいて，当該ユーザが書き込みした用紙の添削を行う添削部と；
前記添削の結果を出力する添削結果出力部と；
を備えることを特徴とする，添削装置。
【請求項１４】
前記透かし抽出部は，読み取った画像の電子透かしから，用紙内の位置関係を示した用紙情報も抽出し，
前記透かし抽出部が抽出した前記用紙情報に基づいて，ユーザが用紙に書き込んだ画像を復元する画像復元部をさらに備えることを特徴とする，請求項１３に記載の添削装置。
【請求項１５】
前記透かし抽出部は，読み取った画像の電子透かしから前記添削情報も抽出し，
前記添削部は，前記透かし抽出部が抽出した，前記課題特定情報および添削情報に基づいて，当該ユーザが書き込みした用紙の添削を行うことを特徴とする，請求項１３に記載の添削装置。
【請求項１６】
前記透かし抽出部は，ユーザおよび／またはユーザ端末を特定するユーザ特定情報を含む登録情報に基づいたライセンス情報，および，前記ライセンス情報に基づいて特定の秘密鍵で暗号化された電子署名も，読み取った画像の電子透かしから抽出し，
前記透かし抽出部が抽出した前記電子署名により，読み込まれた電子透かし用紙が，正規に発行されたものか否かを判断する電子署名検証部と；
前記透かし抽出部が抽出したライセンス情報と，ユーザおよび／または該添削装置とを比較し，前記ライセンス情報に基づく正規の利用であるか否かを判断するライセンス検証部と；
をさらに備えることを特徴とする，請求項１３に記載の添削装置。
【請求項１７】
学習する課題を特定する課題特定情報を電子透かしとして付与した透かし画像を生成する画像生成工程と；
前記生成された透かし画像を出力する画像出力工程と；
前記透かし画像が付与され，さらにユーザが書き込みした用紙を読み取る用紙読み取り工程と；
読み取った画像の電子透かしから前記課題特定情報を抽出する透かし抽出工程と；
前記透かし抽出工程で抽出された前記課題特定情報，および，学習する課題の添削のための手本とする画像を含む添削情報に基づいて，当該ユーザが書き込みした用紙の添削を行う添削工程と；
前記添削の結果を出力する添削結果出力工程と；
を含むことを特徴とする，用紙書き込み学習方法。
【請求項１８】
前記画像生成工程では，前記課題特定情報と共に用紙内の位置関係を示した用紙情報も電子透かしとして付与した画像を生成し，
前記透かし抽出工程では，読み取った画像の電子透かしから前記用紙情報も抽出し，
前記用紙読み取り工程後に，前記透かし抽出工程で抽出された前記用紙情報に基づいて，ユーザが用紙に書き込んだ画像を復元する画像復元工程をさらに含むことを特徴とする，請求項１７に記載の用紙書き込み学習方法。
【請求項１９】
前記画像生成工程では，前記課題特定情報と共に前記添削情報も電子透かしとして付与した画像を生成し，
前記透かし抽出工程では，読み取った画像の電子透かしから前記添削情報も抽出し，
前記添削工程は，前記透かし抽出工程で抽出された，前記課題特定情報および添削情報に基づいて，当該ユーザが書き込みした用紙の添削を行うことを特徴とする，請求項１７に記載の用紙書き込み学習方法。
【請求項２０】
学習する課題を特定する課題特定情報と；
前記課題の添削のための手本とする画像を含む添削情報と；
該印刷媒体上の位置関係を示した印刷媒体情報と；
を電子透かしとして付与した透かし画像が印刷された印刷媒体。
【請求項２１】
前記印刷媒体は，用紙，金属，繊維，プラスチックから選択され，印刷面に重ねて書き込みができる媒体であることを特徴とする，請求項２０に記載の印刷媒体。
【発明の詳細な説明】
【技術分野】
【０００１】
本発明は，用紙による自己学習を可能とする用紙書き込み学習システム，用紙書き込み学習方法，画像出力装置，添削装置，および印刷媒体に関する。
【背景技術】
【０００２】
今日では，インターネット等の通信網を利用して自己学習を行うサービス（ｅ−Ｌｅａｒｎｉｎｇ，Ｗｅｂ−ｂａｓｅｄ  ｔｒａｉｎｉｎｇ）が普及している。このようなサービスは，都合の良い時間を選択し，自己のペースに合わせた学習を行うことができ，その学習のために別の場所に出かけなければならない手間を省くことができる。このようなサービスは，主として語学や情報処理などの知識ベースの習得に利用される。
【０００３】
一方，習字や絵画といった実際の筆記具を利用した学習を実現しようとすると，マウスやキーボード等では習得が困難である。実際の筆記感覚を得るため，タッチパネル等の専用ディスプレイ上を毛筆でなぞり，その軌跡を検知し，なぞられた文字の形状を認識する技術（例えば，特許文献１）が知られている。しかし，かかる技術は，実際に用紙に書く感覚と相違する問題点がある。
【０００４】
また，表示装置の画面に手本となる文字が表示され，その表示装置に用紙を重ねて手本をなぞることで自己学習をする技術（例えば，特許文献２）が知られている。かかる技術は，手本を表示装置を利用して表示した技術に過ぎず，なぞられた軌跡データを取り込むものではないので，添削等の自己学習には利用できない。
【０００５】
【特許文献１】特開平１１−２１９１０３号公報
【特許文献２】特開２００１−１００６２９号公報
【発明の開示】
【発明が解決しようとする課題】
【０００６】
本発明は，従来の自己学習システムが有する上記問題点に鑑みてなされたものであり，本発明の目的は，ユーザが実際の用紙に書き込んだ筆跡を電子化し，そのデータと課題とを自動的に対応させ，添削を行うことが可能な，新規かつ改良された用紙書き込み学習システム，用紙書き込み学習方法，画像出力装置，添削装置，および印刷媒体を提供することである。
【課題を解決するための手段】
【０００７】
上記課題を解決するために，本発明のある観点によれば，学習する課題を特定する課題特定情報と，該課題の添削のための手本とする画像を含む添削情報とを記憶する情報記憶部と；上記課題特定情報を電子透かしとして付与した透かし画像を生成する画像生成部と；上記生成された透かし画像を出力する画像出力部と；上記透かし画像が付与され，さらにユーザが書き込みした用紙を読み取る用紙読み取り部と；読み取った画像の電子透かしから上記課題特定情報を抽出する透かし抽出部と；上記透かし抽出部が抽出した上記課題特定情報，および，上記情報記憶部の添削情報に基づいて，当該ユーザが書き込みした用紙の添削を行う添削部と；上記添削の結果を出力する添削結果出力部と；を備えることを特徴とする，用紙書き込み学習システムが提供される。上記電子透かしは，画像データに他の情報を微細ドットとして紛らせたものであり，光学的に読み取り可能な形に置き換えて付与したものである。通常，電子透かしは，地紋や模様として扱われる。
【０００８】
ユーザが自己学習の対象とする用紙に，予め上記課題特定情報を電子透かしとして埋め込む構成により，ユーザが書き込んだ後の用紙を用紙読み取り部で読み込むだけで，識別番号を入力するなどの特別な処理を行うことなく課題を特定することができる。従って，特定された課題と添削情報が対応付けられ，煩わしい操作を行うことなく添削が行われる。
【０００９】
上記情報記憶部は，用紙内の位置関係を示した用紙情報をさらに記憶し，上記画像生成部は，上記課題特定情報と共に上記用紙情報も電子透かしとして付与した画像を生成し，上記透かし抽出部は，読み取った画像の電子透かしから上記用紙情報も抽出し，上記透かし抽出部が抽出した上記用紙情報に基づいて，ユーザが用紙に書き込んだ画像を復元する画像復元部をさらに備えるとしても良い。
【００１０】
上記用紙情報は，書き込まれた文字等の画像の位置を特定するための情報，例えば，用紙上の物理的位置を表すマーク（ドットや罫線）と，そのマークが本来あるべき位置（画像出力部から出力された時点の位置）を特定する情報（例えば，基準位置に対するドットの打たれている座標）とで構成されるとしても良い。
【００１１】
上記透かし画像が付与され，ユーザが書き込みした用紙は，用紙読み取り部によって読み取られるが，ユーザが書き込んだ画像が縦方向や横方向にずれたり，斜めに傾いたりする場合もある。また，用紙のしわなどによってもユーザが書き込んだ画像を正確に取り込むことができなくなる。かかる画像復元部の構成により，ユーザが書き込んだ画像と用紙情報との位置関係から，ユーザが書き込んだ画像の状態を復元することが可能となり，正確な画像を対象として添削を行うことができる。
【００１２】
上記画像生成部は，上記課題特定情報と共に上記添削情報も電子透かしとして付与した画像を生成し，上記透かし抽出部は，読み取った画像の電子透かしから上記添削情報も抽出し，上記添削部は，上記透かし抽出部が抽出した上記課題特定情報および添削情報に基づいて，当該ユーザが書き込みした用紙の添削を行うとしても良い。
【００１３】
かかる構成により，上記添削部は，別途添削情報を参照することなく，用紙から読み取った添削情報に基づいて添削を行うことができる。従って，添削部を有する装置は，添削情報を予め保持する必要がなくなり，新規な課題を学習しようと試みたときであっても，その都度新規なデータ（添削情報）を追加しなくて良い。
【００１４】
上記添削部は，上記ユーザが書き込みした用紙に，添削情報に含まれる手本とする画像を重ねることによって添削するとしても良いし，上記ユーザが書き込みした画像と，添削情報に含まれる手本とする画像との重なる部分の割合に従って添削するとしても良い。上記手本とする画像を重ねる場合，ユーザが書き込んだ画像と色または濃度の異なる画像を重ねることもできる。
【００１５】
該用紙書き込み学習システムは，学習装置と，上記学習装置に通信網を介して接続されたユーザ端末を含んで構成され，上記学習装置は，少なくとも上記情報記憶部を備えるとしても良く，上記ユーザ端末は，少なくとも上記画像出力部，用紙読み取り部および添削結果出力部を備えるとしても良い。
【００１６】
用紙書き込み学習システムは，その構成要素としての各部が複数の装置に分散して機能し得るとしても良い。上記の構成では，用紙書き込み学習システムを，学習する課題を提供する学習装置と，ユーザ側の端末であるユーザ端末とに分離し，それぞれ必要な構成要素を備えている。
【００１７】
上記学習装置は，特定ユーザの該学習システムの利用履歴および／または添削に関する情報によりユーザの学習レベルを導出するとしても良い。かかる構成により，ユーザの自己学習の進捗状況を把握することができ，総合的な学習レベルの評価をユーザに提供することが可能となる。
【００１８】
上記ユーザ端末は，上記学習装置にユーザおよび／またはユーザ端末を特定するユーザ特定情報を送信する添削要求部をさらに備え，上記学習装置は，上記ユーザ特定情報を認証し，正規の利用であれば上記ユーザ端末に添削許可を発行する添削認証部をさらに備え，上記添削部は，上記添削許可が得られた場合のみ用紙の添削を行うとしても良い。
【００１９】
かかる構成により，課金等によってライセンスを与えたユーザもしくはユーザ端末のみにおいて，当該用紙書き込み学習システムの添削機能を利用することができ，他の不正なユーザによる添削機能の利用を排除することが可能となる。
【００２０】
上記ユーザ端末は，上記学習装置にユーザ特定情報を送信するライセンス要求部をさらに備え，上記学習装置は，上記ユーザ特定情報を認証し，正規の利用であれば上記ユーザ端末にライセンス情報を発行するライセンス認証部をさらに備え，上記画像生成部は，さらに上記ライセンス情報も電子透かしとして付与した画像を生成し，上記透かし抽出部は，読み取った画像の電子透かしから上記ライセンス情報も抽出し，上記添削要求部は，上記学習装置に上記ライセンス情報も送信し，上記添削認証部は，上記ライセンス情報も認証するとしても良い。
【００２１】
かかる構成により，不正なユーザによる当該用紙書き込み学習システムの利用を電子透かし用紙の出力時から制限することが可能となる。
【００２２】
上記ライセンス認証部は，さらに上記ライセンス情報に応じた電子署名も発行し，上記画像生成部は，さらに上記電子署名も電子透かしとして付与した画像を生成し，上記透かし抽出部は，読み取った画像の電子透かしから上記電子署名も抽出し，上記添削要求部は，上記学習装置に上記電子署名も送信し，上記添削認証部は，上記電子署名も認証するとしても良い。
【００２３】
かかる構成では，電子署名を電子透かしとして含んだ正規の課題でなければ添削されないので，成りすましによる不正な画像の提供を防止することが可能となる。
【００２４】
上記学習装置は，ユーザにおける該学習システムの利用回数に応じて課金する課金部をさらに備えるとしても良い。
【００２５】
上記課題を解決するために，本発明の別の観点によれば，学習する課題を特定する課題特定情報を記憶する課題情報記憶部と；上記課題特定情報を電子透かしとして付与した透かし画像を生成する画像生成部と；上記生成された透かし画像を出力する画像出力部と；を備えることを特徴とする，画像出力装置が提供される。
【００２６】
この画像出力装置は，課題特定情報が埋め込まれた透かし画像を提供する装置である。かかる画像出力装置によって出力された用紙は，後述する添削装置によって読み込まれ，識別番号を入力するなどの特別な処理を行うことなく課題が特定される。
【００２７】
他にも用紙書き込み学習システムと同様の構成要素が提供される。上記画像出力装置は，ユーザおよび／またはユーザ端末を特定するユーザ特定情報を含む登録情報に基づいて，ライセンス情報を発行するライセンス発行部と；上記ライセンス発行部が発行したライセンス情報を含むデータを該画像出力装置の秘密鍵で暗号化し，電子署名を発行する電子署名発行部と；をさらに備え得る。
【００２８】
上記課題を解決するために，本発明の別の観点によれば，学習する課題を特定する課題特定情報を電子透かしとして埋め込んだ透かし画像が付与され，さらにユーザが書き込みした用紙を読み取る用紙読み取り部と；読み取った画像の電子透かしから上記課題特定情報を抽出する透かし抽出部と；上記透かし抽出部が抽出した上記課題特定情報，および，該添削装置に記憶された，上記課題の添削のための手本とする画像を含む添削情報に基づいて，当該ユーザが書き込みした用紙の添削を行う添削部と；上記添削の結果を出力する添削結果出力部と；を備えることを特徴とする，添削装置が提供される。
【００２９】
上述の画像出力装置で出力され，ユーザが書き込んだ後の用紙を，上記用紙読み取り部で読み込むだけで，識別番号を入力するなどの特別な処理を行うことなく課題を特定することができる。従って，特定された課題と添削情報が対応付けられ，煩わしい操作を行うことなく添削が行われる。
【００３０】
他にも用紙書き込み学習システムと同様の構成要素が提供される。また，上記透かし抽出部は，ユーザおよび／またはユーザ端末を特定するユーザ特定情報を含む登録情報に基づいたライセンス情報，および，上記ライセンス情報に基づいて特定の秘密鍵で暗号化された電子署名も，読み取った画像の電子透かしから抽出することができ，上記添削装置は，上記透かし抽出部が抽出した上記電子署名により，読み込まれた電子透かし用紙が，正規に発行されたものか否かを判断する電子署名検証部と；上記透かし抽出部が抽出したライセンス情報と，ユーザおよび／または該添削装置とを比較し，上記ライセンス情報に基づく正規の利用であるか否かを判断するライセンス検証部と；をさらに備え得る。
【００３１】
上記学習装置，ユーザ端末，画像出力装置，添削装置は，サーバ，パーソナルコンピュータ，ＰＤＡ（Ｐｅｒｓｏｎａｌ  Ｄｉｇｉｔａｌ  Ａｓｓｉｓｔａｎｔ），携帯電話等の電子機器であるとしても良い。また，上記学習装置，ユーザ端末，画像出力装置，添削装置として機能するコンピュータプログラムおよびそれを記憶した記憶媒体も提供される。
【００３２】
さらに，学習する課題を特定する課題特定情報と；上記課題の添削のための手本とする画像を含む添削情報と；該印刷媒体上の位置関係を示した印刷媒体情報と；を電子透かしとして付与した透かし画像が印刷された印刷媒体も提供される。かかる上記印刷媒体は，用紙，金属，繊維，プラスチックから選択され，印刷面に重ねて書き込みができる媒体であるとしても良い。
【００３３】
上記課題を解決するために，本発明の別の観点によれば，学習する課題を特定する課題特定情報を電子透かしとして付与した透かし画像を生成する画像生成工程と；上記生成された透かし画像を出力する画像出力工程と；上記透かし画像が付与され，さらにユーザが書き込みした用紙を読み取る用紙読み取り工程と；読み取った画像の電子透かしから上記課題特定情報を抽出する透かし抽出工程と；上記透かし抽出工程で抽出された上記課題特定情報，および，学習する課題の添削のための手本とする画像を含む添削情報に基づいて，当該ユーザが書き込みした用紙の添削を行う添削工程と；上記添削の結果を出力する添削結果出力工程と；を含むことを特徴とする，用紙書き込み学習方法も提供される。
【発明の効果】
【００３４】
以上説明したように本発明によれば，ユーザは，実際の用紙を使った自己学習を行うことが可能となる。また，その書き込んだ用紙の筆跡を電子化し，その課題を自動的に特定することができる。さらに，その筆跡データと課題とに基づいて自動的に添削がなされ，煩わしい操作を行うことなく自己学習の習得結果を得ることができる。
【発明を実施するための最良の形態】
【００３５】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００３６】
自己が所有するパーソナルコンピュータ等を利用して，習字や絵画などの自己学習を行う場合，ユーザは，実際の用紙に，実際の筆記具を使って画像，例えば，習字であれば文字を書き込み，それをスキャナ等で電子データ化することが考えられる。かかるユーザが書いた画像を添削する場合，先ず，手本とする画像を探さなければならない。そのためにユーザは，スキャナに画像が読み込まれる際に識別番号等を入力する必要が生じる。これは，ユーザが行った課題と，かかる課題における手本とが関連付けられていないことに起因する。
【００３７】
また，スキャニングにおけるズレ，スキャナの特性，もしくは，用紙のしわ等によって，スキャニングされた画像が実際に用紙に書き込まれた画像と相違する状態が起こり得る。このような場合，手本となる画像と比較したとしても満足のいく添削は行われない。また，正確な添削を行うため，読み込まれた画像を手動で補正することもできるが，補正を行う上での基準とすべき情報が無いため，非常に難しい処理が必要となる。
【００３８】
本実施形態の特徴は，第１に，上記の用紙に，課題を特定するための情報を電子透かしとして予め埋め込んでおき，ユーザが書き込んだ後の用紙を読み込んだ後，用紙に埋め込まれた上記の情報を参照して課題を特定することにある。これにより，特定された課題と添削情報が対応付けられ，煩わしい操作を行うことなく添削が行われる。第２に，用紙内の位置関係を示した用紙情報も電子透かしとして埋め込むことにより，ユーザが書き込んだ画像と用紙情報との位置関係から，ユーザが書き込んだ画像の状態を復元することにある。これにより，添削において，ユーザが書き込んだそのままの画像と手本を比較することが可能となる。第３に，添削に必要な添削情報も電子透かしとして埋め込むことで，上記添削情報を他の手段により別途準備しないで済むことにある。
【００３９】
（電子透かし）
上記の特徴を備える用紙書き込み学習システムを説明する前に，本実施形態の基礎となる電子透かし技術について簡単に説明する。
【００４０】
例えば，特開２００３−２０９６７６号公報「電子透かし埋め込み装置，電子透かし検出装置，電子透かし埋め込み方法，及び，電子透かし検出方法」に示されているように，該電子透かし技術は，任意のドットパターンを用紙に埋め込み，目視を目的とする物理的な情報以外に電子透かしとして情報を伝達する技術である。
【００４１】
また，電子透かし技術は，用紙に任意の情報を埋め込めるだけでなく，埋め込まれる小さな独自のパターン自体がそのパターン同士の位置関係または用紙に対する位置関係を示し，スキャナ等によって画像が読み取られた後の画像を補正するための基準として利用される。
【００４２】
図１は，電子透かしに埋め込む任意のパターンを説明するための説明図である。図１を参照すると，かかる電子透かしによる画像は，複数の小さなドットで構成されたＮ個のユニットパターンの集合として表される。この各ユニットパターンが０〜Ｎ−１の数値に対応し，例えば，ユニットパターン１０２は数値０を表し，ユニットパターン１０４は数値１を表す。上記ユニットパターンは，白黒やカラーで表すことができる。
【００４３】
図２は，電子透かしによって印刷された画像（用紙）を説明するための外観図である。図２の用紙全体を参照すると，上記電子透かしによる画像には，その役割に応じて，メイン領域１１０，属性情報領域１１２，境界情報領域１１４に分けることができる。メイン領域１１０は，情報を埋め込むための主たる領域である。属性情報領域１１２は，電子透かしを埋め込む領域の大きさやメイン領域１１０における情報の符号化方法など，メイン領域１１０に埋め込まれた情報を読み取るために必要な情報が格納されている。境界情報領域１１４は，予め定められた特定のユニットパターンが印刷されており，読み取り側はこの領域によって電子透かしの境界を識別することができる。
【００４４】
スキャナ等の読み取り側では，このようにして印刷された用紙（以下，単に電子透かし用紙という。）をスキャニングし，用紙中に埋め込まれた個々のユニットパターンを検出する。この検出は，テンプレートマッチングや，任意の方向性や形状に対するフィルタ特性を持つ２次元フィルタ（例えば２次元ガボールフィルタ）等を利用して行われる。
【００４５】
また，上記用紙に電子透かしを埋め込む際，上記境界情報領域１１４やメイン領域１１０の特定位置に，特定のユニットパターンを規則正しく配置する。これによって，用紙を読み取る側では，これら位置検出用のユニットパターンを抽出し，この位置情報に基づいて補正を行うことができる。従って，スキャニングしたデータに変位や回転によるズレまたはしわによる偏りがあったとしても，煩わしい手動による補正を行うことなく，元の画像を復元することができる。
【００４６】
尚，用紙書き込み学習システムにおいて，ユーザは，電子透かし用紙に筆等の筆記具で文字等を上書きする。このため，このユニットパターンの一部が例えば墨汁などで上書きされ，検知できなくなる可能性が生じる。そこでメイン領域１１０においては埋め込む情報を複数箇所に分散して配置したり，上記特開２００３−２０９６７６号公報にあるように誤り耐性符号（パリティチェック符号，ハミング符号，ＢＣＨ符号など）で埋め込んだりして，例え，ユニットパターンの一部が欠けていたとしても情報の復元が可能なように構成されている。
【００４７】
（第１の実施形態：用紙書き込み学習システム）
上記のような電子透かし技術を基本として，第１の実施形態による用紙書き込み学習システムを説明する。まず，上記用紙書き込み学習システムが単体のユーザ端末２００で構成される場合を挙げる。また，以下の実施形態の説明においては，電子透かしの印刷対象である印刷媒体として用紙を挙げて説明するが，用紙に限定されるものではない。
【００４８】
図３は，本実施の形態にかかるユーザ端末２００のハードウェア構成を概略的に示すブロック図である。図３に示すように，ユーザ端末２００は，ＣＰＵ２０２と，メモリ２０４と，入力部２０６と，印刷部２０８と，スキャナ２１０と，表示部２１２とを含んで構成される。
【００４９】
上記ＣＰＵ２０２は，演算処理装置および制御装置として機能し，ユーザ端末２００内の各部の処理を制御する。
【００５０】
上記メモリ２０４は，例えば，ＲＡＭ，ＲＯＭ，キャッシュメモリ，ハードディスクドライブ，フラッシュメモリ等などで構成されており，ＣＰＵ２０２の処理に関する各種データや，ソフトウェアプログラム等を記憶する。メモリ２０４には，ＯＳ（Ｏｐｅｒａｔｉｏｎ  Ｓｙｓｔｅｍ）や，ＢＩＯＳ（Ｂａｓｉｃ  Ｉｎｐｕｔ／ＯｕｔｐｕｔＳｙｓｔｅｍ）その他のドライバ等も格納されるとしても良い。また，メモリ２０４は，後述する情報記憶部や課題情報記憶部としても機能し得る。
【００５１】
上記入力部２０６は，例えば，マウス，キーボード，タッチパネル，ボタン，スイッチ，レバー等の操作手段と，入力信号を生成してＣＰＵ２０２に出力する入力制御回路等から構成されている。ユーザ端末２００のユーザは，この入力部２０６を操作することにより，各種のデータを入力したり処理動作を指示したりすることができる。
【００５２】
上記印刷部２０８は，例えば，プリンタ等で構成され，印刷媒体としての用紙に画像を印刷することが可能である。本実施形態では，電子透かしが埋め込まれた画像や，ユーザが書き込んだ後の画像を添削した結果等を印刷することができる。従って，後述する画像出力部や添削結果出力部としても機能し得る。
【００５３】
上記スキャナ２１０は，用紙に描かれた白黒やカラーの画像をドット単位で読み取ることができる。電子透かしは，ドットが小さくその間隔も狭いので，スキャナ２１０には電子透かしに応じた細かい分解能が要求される。かかるスキャナ２１０は，後述する用紙読み取り部としても機能し得る。
【００５４】
上記表示部２１２は，例えば，ＣＲＴディスプレイ装置，液晶ディスプレイ（ＬＣＤ）装置，ランプ等の表示装置や，スピーカ等の音声出力装置などで構成される。この表示部２１２は，スキャナ２１０で読み込んだ画像を直接表示することもでき，後述する添削結果出力部としても機能し得る。
【００５５】
このようなハードウェアを含むユーザ端末２００は，具体的に以下に示す構成要素を有する。かかる構成要素は，上記ＣＰＵ２０２によって実施され，モジュールの形で表されるとしても良い。
【００５６】
図４は，本実施の形態にかかるユーザ端末２００の具体的構成を概略的に示すブロック図である。上記ユーザ端末２００は，情報記憶部２５０と，画像生成部２５２と，画像出力部２５４と，用紙読み取り部２５６と，透かし抽出部２５８と，画像復元部２６０と，添削部２６２と，添削結果出力部２６４とを含んで構成される。
【００５７】
上記情報記憶部２５０は，学習する課題を例えば管理番号等によって特定する課題特定情報２７０と，印刷媒体としての用紙内の位置関係を示した用紙情報２７２と，該課題の添削のための手本とする画像，例えば正しい筆跡をベクトル表現した画像を含む添削情報２７４とを記憶する。上記用紙情報２７２は，用紙サイズ等の仕様を含むとしても良く，書き込まれた文字等の画像の位置を特定するための情報，例えば，用紙上の物理的位置を表すマーク（ドットや罫線）と，そのマークが本来あるべき位置（画像出力部２５４から出力された時点の位置）を特定する情報とで構成されるとしても良い。
【００５８】
上記課題特定情報２７０と添削情報２７４は，自動添削のために利用され，上記用紙情報２７２は，画像復元部２６０で画像を復元するために利用される。
【００５９】
上記画像生成部２５２は，課題特定情報２７０および用紙情報２７２を電子透かしとして付与した透かし画像を生成する。また，添削情報２７４も合わせて付与することも可能である。また，電子透かしと共に，添削情報２７４の手本とする画像自体を予め薄く印刷することもできる。ユーザは，このように印刷された手本をなぞることによって自己学習を行うとしても良い。
【００６０】
上記画像出力部２５４は，画像生成部２５２で生成された透かし画像を出力する。ここで，出力するとしたのは，単に透かし画像を用紙に印刷するのみでなく，透かし画像を電子データで出力し，別体の印刷機器で最終的な用紙に印刷することを含む意味である。
【００６１】
図５Ａ，Ｂ，Ｃは，このように出力された用紙２８０の取り扱いを説明するための説明図である。図５Ａ，Ｂ，Ｃの左側には，画像出力部２５４から出力された透かし画像が埋め込まれた用紙２８０（電子透かし用紙）が示され，右側には，学習する課題に応じて，ユーザが実際の筆記具でその用紙２８０に書き込んだ後の用紙が示されている。特に，図５Ａは毛筆による習字の例を示し，図５Ｂ，Ｃはペン習字の例を示している。図５Ｂ，Ｃのようにユーザが書き込む前の用紙２８０には，罫線やマス目等の案内線を挿入することができる。
【００６２】
上記用紙読み取り部２５６は，上記用紙２８０にユーザ２８２が書き込んだ用紙を，スキャナや，デジタルカメラを含むカメラ等により読み取る。
【００６３】
上記透かし抽出部２５８は，読み取った画像の電子透かしから上記課題特定情報２７０および用紙情報２７２を抽出する。かかる課題特定情報２７０によってユーザ２８２が学習した課題が特定される。上記課題特定情報２７０は，情報記憶部２５０の添削情報２７４を参照するためのアクセス情報を含むとしても良い。上記画像生成部２５２が添削情報２７４も用紙に埋め込んでいる場合，併せて添削情報２７４も抽出する。
【００６４】
上記画像復元部２６０は，透かし抽出部２５８が抽出した用紙情報２７２に基づいて，ユーザが用紙に書き込んだ画像を復元する。用紙情報２７２が，書き込まれた文字等の画像の位置を特定するための情報，例えば，用紙上の物理的位置を表すマーク（ドットや罫線）と，そのマークが本来あるべき位置（画像出力部２５４から出力された時点の位置）を特定する情報（例えば，上記マークの座標）とで構成されている場合，画像復元部２６０は，物理的位置を示すマークとユーザが書き込んだ文字との位置関係を取得し，マークと共にユーザの文字を元の位置に復元する。
【００６５】
上記透かし画像が付与され，さらにユーザが書き込みした用紙は，用紙読み取り部２５６によって読み取られる。しかし，その画像は，縦方向や横方向にずれたり，斜めに傾いたりすることもあり，また，用紙のしわなどによってもその画像を正確に取り込むことができなくなる。従って，上記のような画像復元部２６０による画像の復元が必要となる。かかるユーザが書き込んだ画像の状態を復元する構成により，正確な画像を対象として添削を行うことができる。
【００６６】
上記添削部２６２は，透かし抽出部２５８が抽出した課題特定情報２７０，および，情報記憶部２５０の添削情報２７４に基づいて，当該ユーザが書き込んだ用紙における画像の添削を行う。また，上記画像生成部２５２が添削情報２７４も用紙に埋め込んでいる場合，当該添削情報２７４は，透かし抽出部２５８が抽出した添削情報２７４を利用しても良いし，情報記憶部２５０に記憶されている添削情報２７４を利用しても良い。
【００６７】
この添削部２６２は，ユーザ２８２が書き込みした用紙に，添削情報２７４に含まれる手本とする画像を重ねることによって添削するとしても良いし，ユーザ２８２が書き込みした画像と，添削情報２７４に含まれる手本とする画像との重なる部分の割合や一致度に従って添削するとしても良い。上記手本とする画像を重ねる場合，ユーザが書き込んだ画像と色または濃度の異なる画像，例えば，朱色の画像を重ねることもできる。
【００６８】
上記添削結果出力部２６４は，添削部２６２によって添削された結果を出力する。かかる出力は，画面による表示やプリンタによる印刷等様々な手段で行うことができる。
【００６９】
また，上記ユーザ端末２００として機能せしめるプログラムも提供される。
【００７０】
（第２の実施形態：用紙書き込み学習方法）
上記のような用紙書き込み学習システムを実現する用紙書き込み学習方法を以下で説明する。
【００７１】
図６は，本実施形態における用紙書き込み学習方法の流れを示したフローチャートである。先ず，ユーザは，ユーザ端末２００において学習する課題を選択し，課題特定情報２７０や，添削情報２７４等の課題データを取得する（Ｓ３００）。このように取得された課題特定情報２７０および用紙情報２７２を電子透かしとして付与した透かし画像を生成し（Ｓ３０２），生成された透かし画像をプリンタ等により出力する（Ｓ３０４）。かかる画像生成工程（Ｓ３０２）では，必要に応じて罫線や桝目などを画像に追加することもできる。
【００７２】
ユーザは，課題に応じて，出力された用紙に書き込みを行う。その後，ユーザが書き込んだ後の用紙をユーザ端末２００が読み取り（Ｓ３０６），読み取った画像におけるユーザが書き込んだ文字，および，読み取った画像の電子透かしから上記課題特定情報２７０や用紙情報２７２を抽出する（Ｓ３０８）。かかる課題特定情報２７０によって，識別番号を入力するなどの特別な処理を行うことなく課題を特定することができる。
【００７３】
続いて，透かし抽出工程（Ｓ３０８）で抽出された上記用紙情報２７２に基づいて，ユーザが用紙に書き込んだ画像を復元する（Ｓ３１０）。これは，電子透かし画像中の各ユニットパターンを基準にして画像の歪みを補正し，罫線など用紙に元々あった部分を除いてユーザが書いた部分のみを抽出することで実施される。具体的には上述の特開２００３−２０９６７６号公報に記載された抽出方法を参照する。次に，上記透かし抽出工程（Ｓ３０８）で抽出された上記課題特定情報２７０，および，添削情報２７４に基づいて，当該ユーザが書き込みした用紙の添削を行う（Ｓ３１２）。その後，かかる添削の結果が出力される（Ｓ３１４）。
【００７４】
また，画像生成工程（Ｓ３０２）において，課題特定情報２７０と共に添削情報２７４も電子透かしとして付与した画像を生成するとしても良く，その場合，添削工程（Ｓ３１２）では，透かし抽出工程で抽出された，課題特定情報２７０および添削情報２７４に基づいて，当該ユーザが書き込みした用紙の添削を行うとすることができる。
【００７５】
第１の実施形態や第２の実施形態の実施により，ユーザが用紙をスキャナで読み込むといった行為のみで，ユーザ端末２００側では入力された用紙に対応する課題を識別できる。また電子透かし用紙を利用することで，紙全面に渡ってユーザが書き込んだ画像の正確な位置を検出することができるので，紙の傾きや紙しわなどの用紙の状態や，使用するスキャナ特性によってスキャン画像が変化する場合があったとしても，ユーザが描いた画像を正確に再現することができる。
【００７６】
（第３の実施形態：用紙書き込み学習システム）
第１の実施形態では，用紙書き込み学習システムを単体のユーザ端末２００を挙げて説明した。この用紙書き込み学習システムは，その構成要素としての各部が複数の装置に分散して機能しうるとしても良い。本実施形態では，用紙書き込み学習システムを，学習する課題を提供する学習装置３６０と，ユーザ端末２００とに分離し，各々の装置で必要な構成要素を表している。
【００７７】
図７は，本実施の形態にかかる用紙書き込み学習システムの構成を概略的に示すブロック図である。上記用紙書き込み学習システムは，通信網３５０を介して，学習装置３６０と，複数のユーザ端末２００とが接続される。上記学習装置３６０は，学習装置通信部３６２と，情報記憶部２５０とを含んで構成され，上記ユーザ端末２００は，ユーザ通信部３６４と，画像生成部２５２と，画像出力部２５４と，用紙読み取り部２５６と，透かし抽出部２５８と，画像復元部２６０と，添削部２６２と，添削結果出力部２６４とを含んで構成される。
【００７８】
第１の実施形態において既に述べた構成要素は，第３の実施形態の構成要素と実質的に機能が同一なので重複説明を省略し，ここでは，構成が相違する学習装置通信部３６２と，ユーザ通信部３６４とを説明する。
【００７９】
上記学習装置通信部３６２は，インターネット等の通信網３５０に接続され，同様に通信網３５０に接続される機器と情報の交換を行うことができる。本実施形態においては，上記ユーザ通信部３６４と通信を行うことが可能であり，ユーザ端末２００の要求に応じて課題特定情報２７０，用紙情報２７２，添削情報２７４等を配信する。
【００８０】
上述の用紙書き込み学習システムでは，学習装置３６０に情報記憶部２５０が，ユーザ端末２００に画像生成部２５２，画像出力部２５４，用紙読み取り部２５６，透かし抽出部２５８，画像復元部２６０，添削部２６２，添削結果出力部２６４が設けられているが，かかる各部は，両装置のどちらか一方に設けられれば良く，上記の配置に限られるものではない。例えば，学習装置３６０は，少なくとも情報記憶部２５０を備えるとしても良く，ユーザ端末２００は，少なくとも画像出力部２５４，用紙読み取り部２５６および添削結果出力部２６４を備えるとしても良い。この場合，学習装置３６０が，画像生成部２５２，画像復元部２６０，添削部２６２を備えることもできる。
【００８１】
ここで，課題特定情報２７０は，学習装置３６０の添削情報２７４を参照するためのアクセス情報（ＵＲＬ等）を含むとしても良く，このような構成により，添削情報２７４をより容易に参照することが可能となる。
【００８２】
また，学習装置３６０は，特定ユーザの該学習システムの利用履歴および／または添削に関する情報によりユーザの学習レベルを導出し，ユーザの自己学習の進捗状況を把握するとしても良く，総合的な学習レベルの評価をユーザに提供することが可能となる。
【００８３】
また，上記ユーザ端末２００や学習装置３６０として機能せしめるプログラムも提供される。
【００８４】
また，上記のような用紙書き込み学習システムを実現する用紙書き込み学習方法を以下で説明する。
【００８５】
図８は，本実施形態における用紙書き込み学習方法の流れを示したフローチャートである。かかる用紙書き込み学習方法におけるユーザ端末２００の動作は，第２の実施形態において既に述べているので，相違する工程のみ説明する。
【００８６】
ユーザは，ユーザ端末２００が学習装置３６０と通信を行うことができる状態で，学習装置３６０に対して学習する課題を要求し（Ｓ３００），学習装置３６０は，それに応じて，課題特定情報２７０等の課題データを提供する（Ｓ３８０）。提供された課題データは，画像生成工程（Ｓ３０２）で利用される。
【００８７】
また，透かし抽出工程（Ｓ３０８）で抽出された課題特定情報２７０に基づいて，ユーザが学習した課題を特定すると，ユーザ端末２００は，その課題の添削に必要な情報を要求し（Ｓ３０８），学習装置３６０は，それに応じて，添削情報２７０等の課題データを提供する（Ｓ３８２）。提供された課題データは，添削工程（Ｓ３１２）で利用される。
【００８８】
このような第３の実施形態の用紙書き込み学習システムおよび方法により，複数の課題を学習装置３６０で一元管理することが可能となり，課題の追加・削除・差し替えも容易に行うことができる。また，課題データをユーザ側で保持する必要がないため，メモリ等の記憶部を有効に活用することができる。
【００８９】
（第４の実施形態：用紙書き込み学習システム）
第３の実施形態では，用紙書き込み学習システムを学習装置３６０とユーザ端末２００とが通信網３５０を介して接続される例を挙げて説明した。このような通信網３５０を介した通信の場合，そのセキュリティや，ユーザが正規のユーザであるかどうかが問題になる。そこで，そのような問題から当該用紙書き込み学習システムを保護するシステムを以下で説明する。
【００９０】
図９は，本実施の形態にかかる用紙書き込み学習システムの構成を概略的に示すブロック図である。上記学習装置３６０は，学習装置通信部３６２と，情報記憶部２５０と，添削認証部４００と，ライセンス認証部４０４と，課金部４０８とを含んで構成され，上記ユーザ端末２００は，ユーザ通信部３６４と，画像生成部２５２と，画像出力部２５４と，用紙読み取り部２５６と，透かし抽出部２５８と，画像復元部２６０と，添削部２６２と，添削結果出力部２６４と，添削要求部４０２と，ライセンス要求部４０６とを含んで構成される。
【００９１】
第３の実施形態において既に述べた構成要素は，第４の実施形態の構成要素と実質的に機能が同一なので重複説明を省略し，ここでは，特に，構成が相違する添削認証部４００と，添削要求部４０２と，ライセンス認証部４０４と，ライセンス要求部４０６と，課金部４０８とを説明する。
【００９２】
上記添削認証部４００は，ユーザ端末２００に設けられ，学習装置３６０にユーザおよび／またはユーザ端末２００を特定するユーザ特定情報を送信する。
【００９３】
上記添削要求部４０２は，学習装置３６０に設けられ，ユーザ端末２００から送信されたユーザ特定情報を認証する。即ち，送信されたユーザ特定情報と，学習装置３６０に登録されたユーザおよび／またはユーザ端末２００を特定するユーザ特定情報を含む登録情報とを比較して，同ユーザおよび／または同ユーザ端末２００による利用かどうかが判断され，正規の利用が確認された場合ユーザ端末２００に添削許可を発行する。このとき，添削部２６２は，学習装置３６０から添削許可が得られた場合のみ用紙の添削を行うとしても良い。ここで，上記ユーザ特定情報を含む登録情報は，課題を管理する情報や学習装置３６０が発行するライセンス情報等と共に所定のデータベースで管理されるとしても良く，情報記憶部２５０に記憶されるとしても良い。ユーザは，電子透かし用紙の利用を試みた場合，このようなデータベースにユーザ特定情報を登録する。
【００９４】
このように，課金等によってライセンスを与えたユーザもしくはユーザ端末のみにおいて，当該用紙書き込み学習システムの添削機能を利用することができ，他の不正なユーザによる添削機能の利用を排除することが可能となる。
【００９５】
上記ライセンス要求部４０６は，ユーザ端末２００に設けられ，学習装置３６０にユーザおよび／またはユーザ端末２００を特定するユーザ特定情報を送信する。また，このとき，ユーザが選択した課題を特定する情報も同様に送信されるとしても良い。
【００９６】
上記ライセンス認証部４０４は，学習装置３６０に設けられ，ユーザ端末２００から送信されたユーザ特定情報を認証する。即ち，送信されたユーザ特定情報と，学習装置３６０に登録されたユーザおよび／またはユーザ端末２００を特定するユーザ特定情報を含む登録情報とを比較して，同ユーザおよび／または同ユーザ端末２００による利用かどうかが判断され，正規の利用が確認された場合ユーザ端末２００にライセンス情報を発行する。このライセンス情報は，印刷される用紙毎に個別の識別子が付与されるとしても良い。
【００９７】
このとき，画像生成部２５２は，さらに学習装置３６０から提供されたライセンス情報も電子透かしとして付与した画像を生成し，透かし抽出部２５８は，読み取った画像の電子透かしからこのライセンス情報も抽出し，添削要求部４０２は，学習装置３６０にライセンス情報も送信し，添削認証部４００は，ライセンス情報も含めて，今回読み込まれた用紙が正しいユーザ，ユーザ端末および課題に使用されているかを認証する。従って，添削部２６２は，学習装置３６０から添削許可が得られた場合のみ用紙の添削を行うとしても良い。
【００９８】
上記の構成では，当該用紙書き込み学習システムで利用できるユーザや端末を，課金等によりライセンスを与えたユーザおよびユーザ端末のみに限定することができ，他の端末からの不正なアクセスを排除することができる。
【００９９】
また，ライセンス認証部４０４は，さらにライセンス情報に応じて，学習装置３６０の秘密鍵で生成された電子署名も発行し，画像生成部２５２は，さらに電子署名も電子透かしとして付与した画像を生成し，透かし抽出部２５８は，読み取った画像の電子透かしから電子署名も抽出し，添削要求部４０２は，学習装置３６０に電子署名も送信し，添削認証部４００は，電子署名も認証するとしても良い。上記電子署名のアルゴリズムは公知技術であるＲＳＡやＤＳＡなどを用いるとしても良い。またライセンス情報に対して共通の秘密パスワードで署名作成，検証をするＨＭＡＣなどの暗号技術を用いても良い。
【０１００】
かかる構成では，電子署名を電子透かしとして含んだ正規の課題でなければ添削されないので，成りすましによる不正な画像の提供を防止することが可能となる。
【０１０１】
上記課金部４０８は，ユーザが該学習システムを利用するとき，その利用回数や課題の印刷回数に応じて従量制の課金を行う。このとき，上記ユーザは特定されており，そのユーザが当該用紙書き込み学習システムを利用する度にかかる利用情報が更新される。
【０１０２】
また，上記ユーザ端末２００や学習装置３６０として機能せしめるプログラムも提供される。
【０１０３】
また，上記のような用紙書き込み学習システムを実現する用紙書き込み学習方法を以下で説明する。
【０１０４】
図１０は，本実施形態における用紙書き込み学習方法の流れを示したフローチャートである。先ず，ユーザは，当該用紙書き込み学習方法を利用するため，ライセンスを与えられた本人であることの認証行為を行う（Ｓ４５０）。具体的には，ユーザ端末２００がユーザにユーザＩＤやパスワードを要求し，その値によってユーザを特定する。また，例えば，ユーザ端末２００のＭＡＣアドレスやハードウェア構成等の値を組み合わせ，ＳＨＡ−１等のハッシュ値に変換したユニークな値を導出してユーザ端末２００を特定する。また，ユーザやユーザ端末２００を特定する方法は様々な公知技術を利用することができ，上記の方法には限られない。
【０１０５】
続いて，ユーザ端末２００において学習する課題を選択し，その課題を特定する情報，例えば，課題番号と，ユーザ特定情報とを学習装置３６０に送信し，その課題の課題特定情報２７０や，添削情報２７４を含んだライセンス情報付きの課題データの送信を要求する（Ｓ４５２）。学習装置３６０では，データベースに保持されているユーザの登録情報に基づいて，ユーザ特定情報を認証し（Ｓ４６０），ユーザの認証が完了するとライセンス情報を生成し（Ｓ４６２），また，上記ライセンス情報等，用紙に埋め込む情報に対する電子署名も生成する（Ｓ４６４）。学習装置３６０は，このようなライセンス情報付きの課題データをユーザ端末２００に送信する（Ｓ４６６）。
【０１０６】
ユーザ端末２００は，このように取得された課題特定情報２７０，用紙情報２７２，ライセンス情報および電子署名を電子透かしとして付与した透かし画像を生成し（Ｓ４７０），生成された透かし画像をプリンタ等により出力する（Ｓ４７２）。かかる画像生成工程（Ｓ４７０）では，必要に応じて罫線や桝目などを画像に追加することもできる。
【０１０７】
ユーザは，課題に応じて出力された用紙に書き込みを行う。その後，ユーザが書き込んだ後の用紙をユーザ端末２００が読み取り（Ｓ４７４），読み取った画像におけるユーザが書き込んだ文字，および読み取った画像の電子透かしから上記課題特定情報，用紙情報，ライセンス情報および電子署名を抽出する（Ｓ４７６）。かかる課題特定情報によって，識別番号を入力するなどの特別な処理を行うことなく課題を特定することができる。
【０１０８】
続いて，再度，ユーザＩＤやパスワードによってユーザを特定し，また，ユーザ端末２００も特定する（Ｓ４７８）。ユーザ端末２００は，かかるユーザ特定情報，および透かし抽出工程（Ｓ４７６）で抽出された課題特定情報，ライセンス情報，電子署名を学習装置３６０に送信して，添削許可の要求を行う（Ｓ４８０）。
【０１０９】
学習装置３６０は，先ず，ユーザ端末２００から取得した情報のうち電子署名が電子署名生成工程（Ｓ４６４）で生成されたものであるかどうかの認証を行い，かかる用紙が改ざんされたものであるかどうかを検証する（Ｓ４８２）。続いてユーザ特定情報の認証（Ｓ４８４），ライセンス情報の認証を行い（Ｓ４８６），ライセンスを与えたユーザもしくはユーザ端末２００による利用であるか否かが検証され，正規の利用であることが確認された場合，ユーザ端末２００に対して添削許可を発行する（Ｓ４８８）。ここで利用の回数等を記憶し，利用ごとの従量制課金を行うとしても良い。
【０１１０】
ユーザ端末２００は，添削許可を取得できなかった場合，以後の処理を行うことができない。一方，添削許可を得た場合は，以下の処理が継続される。
【０１１１】
ユーザ端末２００は，透かし抽出工程（Ｓ４７６）で抽出された上記用紙情報に基づいて，ユーザが用紙に書き込んだ画像を復元する（Ｓ４９０）。これは，電子透かし画像中の各ユニットパターンを基準にして画像の歪みを補正し，罫線など用紙に元々あった部分を除いてユーザが書いた部分のみを抽出することで実施される。次に，上記透かし抽出工程（Ｓ４７６）で抽出された上記課題特定情報，および，添削情報に基づいて，当該ユーザが書き込みした用紙の添削を行う（Ｓ４９２）。その後，かかる添削の結果が出力される（Ｓ４９４）。
【０１１２】
また，画像生成工程（Ｓ４７０）において，添削情報２７４も電子透かしとして付与した画像を生成するとしても良く，その場合，添削工程（Ｓ４９２）では，透かし抽出工程で抽出された，課題特定情報２７０および添削情報２７４に基づいて，当該ユーザが書き込みした用紙の添削を行うことができる。
【０１１３】
上記では，ユーザ特定情報としてユーザとユーザ端末の両情報を利用しているが，１人のユーザが複数のユーザ端末を利用する場合や１つのユーザ端末において複数のユーザが利用する場合は，ユーザ特定情報は，どちらか一方を特定すれば良い。
【０１１４】
第４の実施形態の実施により，ライセンスのないユーザおよびユーザ端末からの不正利用を防止することができる。また，学習装置３６０から提供されるライセンス情報は学習装置３６０の電子署名等の暗号技術によって保護されているので，ライセンス情報の偽造も併せて防止することができる。また学習装置３６０は，特定ユーザの該学習システムの利用履歴および／または添削に関する情報によりユーザの学習レベルを導出し，ユーザの自己学習の進捗状況を把握することも可能である。
【０１１５】
（第５の実施形態：用紙書き込み学習システム）
第３の実施形態では，当該用紙書き込み学習システムを学習装置３６０と，ユーザ端末２００とによって説明した。本実施形態では，オフラインで形成される画像出力装置５１０と添削装置５２０とで構成される用紙書き込み学習システムを詳細に説明する。本実施形態の画像出力装置５１０と添削装置５２０とはオフラインである代わりに，添削に必要とされる情報の全てが電子透かし用紙に埋め込まれる。
【０１１６】
本実施形態では，画像出力装置５１０や添削装置５２０がネットワークに接続される必要もなく，両装置間のアクセスも不要なので，例えば，ユーザ側の端末である添削装置５２０がインターネット等の通信網に接続できないとしても，自己学習できる環境を構築することが可能となる。かかる実施形態は，当該用紙書き込み学習システムを提供する側が，配信の形で本サービスを提供する代わりに，用紙そのものを配布することを目的としている。従って，画像出力装置５１０で複数印刷された電子透かし用紙は，複数のユーザの複数の添削装置５２０で利用される。
【０１１７】
図１１は，本実施の形態にかかる用紙書き込み学習システムの構成を概略的に示すブロック図である。上記用紙書き込み学習システムは，画像出力装置５１０と添削装置５２０とで構成され，画像出力装置５１０は，課題情報記憶部５２２と，画像生成部２５２と，画像出力部２５４とを含んで構成され，添削装置５２０は，用紙読み取り部２５６と，透かし抽出部２５８と，画像復元部２６０と，添削部２６２と，添削結果出力部２６４とを含んで構成される。上記課題情報記憶部５２２は，第３の実施形態における情報記憶部２５０と機能が同一であり，他の構成は，第３の実施形態において既に述べた構成要素と実質的に機能が同一なので重複説明を省略する。
【０１１８】
本実施形態と第３の実施例と異なる点は，画像出力装置５１０が電子透かし用紙を予め印刷しているところにある。画像生成部２５２が電子透かしとして埋め込む情報は，課題特定情報２７０，用紙情報２７２，添削情報２７４を含む。また，電子透かしと共に添削情報２７４の手本とする画像を予め薄く印刷することもできる。埋め込む情報の容量が大きい場合は，任意の可逆圧縮データ技術で圧縮することもできる。
【０１１９】
また，上記画像出力装置５１０や添削装置５２０として機能せしめるプログラムも提供される。
【０１２０】
上記のような用紙書き込み学習システムを実現する用紙書き込み学習方法を以下で説明する。
【０１２１】
図１２は，本実施形態における用紙書き込み学習方法の流れを示したフローチャートである。先ず，当該システムを提供する提供者は，画像出力装置５１０において学習する課題を特定し，課題特定情報２７０，用紙情報２７２，添削情報２７４を取得する（Ｓ５５０）。このように取得された課題特定情報２７０，用紙情報２７２，および添削情報２７４を電子透かしとして付与した透かし画像を生成し（Ｓ５５２），生成された透かし画像をプリンタ等により出力する（Ｓ５５４）。かかる画像生成工程（Ｓ５５２）では，必要に応じて罫線や桝目などを画像に追加することもできる。このように出力された電子透かし用紙は，本システムを利用するユーザに用紙ベースで配布される。
【０１２２】
ユーザは，上記の用紙に課題に応じて書き込みを行う。その後，ユーザが書き込んだ後の用紙を添削装置５２０が読み取り（Ｓ５５６），読み取った画像におけるユーザが書き込んだ文字，および読み取った画像の電子透かしから上記課題特定情報２７０，用紙情報２７２や添削情報２７４を抽出する（Ｓ５５８）。かかる課題特定情報２７０によって，識別番号を入力するなどの特別な処理を行うことなく課題を特定することができる。
【０１２３】
続いて，透かし抽出工程（Ｓ５５８）で抽出された上記用紙情報２７２に基づいて，ユーザが用紙に書き込んだ画像を復元する（Ｓ５６０）。これは，電子透かし画像中の各ユニットパターンを基準にして画像の歪みを補正し，罫線など用紙に元々あった部分を除いてユーザが書いた部分のみを抽出することで実施される。具体的には上述の特開２００３−２０９６７６号公報に記載された抽出方法を参照する。次に，上記透かし抽出工程（Ｓ５５８）で抽出された課題特定情報２７０と添削情報２７４に基づいて，当該ユーザが書き込みした用紙の添削を行う（Ｓ５６２）。その後，かかる添削の結果が出力される（Ｓ５６４）。
【０１２４】
第５の実施形態では，添削の際，特別にデータベースを参照する必要がなくなり，添削装置５２０において，課題特定情報２７０，用紙情報２７２，添削情報２７４等のデータを保持しなくとも用紙ベースの自己学習を行うことが可能となる。ただし，本実施形態は，かかる画像出力装置５１０や添削装置５２０を通信網に接続することを排除するものではなく，本機能を利用するに当たって通信網への接続が必要ないことを表している。従って，画像出力装置５１０や添削装置５２０が通信網と接続されるとしても良い。また，第３の実施形態と合わせて，課題情報記憶部５２２の部分のみ通信網を介した別体の装置で実現することも可能である。
【０１２５】
（第６の実施形態：用紙書き込み学習システム）
本実施形態においては，第５の実施形態において説明された画像出力装置５１０や添削装置５２０に，改ざんや不正利用の防止が可能な構成を追加している。
【０１２６】
図１３は，本実施の形態にかかる用紙書き込み学習システムの構成を概略的に示すブロック図である。上記画像出力装置５１０は，課題情報記憶部５２２と，ライセンス発行部６００と，電子署名発行部６０２と，画像生成部２５２と，画像出力部２５４とを含んで構成され，上記添削装置５２０は，用紙読み取り部２５６と，透かし抽出部２５８と，電子署名検証部６０４と，ライセンス検証部６０６と，画像復元部２６０と，添削部２６２と，添削結果出力部２６４とを含んで構成される。
【０１２７】
第５の実施形態において既に述べた構成要素は，第６の実施形態の構成要素と実質的に機能が同一なので重複説明を省略し，ここでは，特に，構成が相違するライセンス発行部６００と，電子署名発行部６０２と，電子署名検証部６０４と，ライセンス検証部６０６とを説明する。
【０１２８】
上記ライセンス発行部６００は，ユーザや添削装置５２０を特定したユーザ特定情報を含む登録情報に基づいて，ライセンス情報を発行する。このライセンス情報は，印刷される用紙毎に個別の識別子が付与されるとしても良い。
【０１２９】
上記電子署名発行部６０２は，上記ライセンス情報に応じて，画像出力装置５１０の秘密鍵で生成された電子署名を発行する。この電子署名のアルゴリズムは公知技術であるＲＳＡやＤＳＡなどを用いることができる。本実施形態においては，電子署名の検証がユーザ側の添削装置５２０で実施されるため，第４の実施形態で説明したＨＭＡＣのような共通鍵を用いた署名は適切ではない。
【０１３０】
上記電子署名検証部６０４は，透かし抽出部２５８が抽出した電子署名により，読み込まれた電子透かし用紙が，正規に画像出力装置５１０から出力されたものであるかどうかが判断される。この検証に必要な画像出力装置５１０の公開鍵証明書は，予め端末に保管されるか，検証の際に外部のＬＤＡＰサーバやＨＴＴＰサーバから取得するとしても良い。添削部２６２は，かかる用紙が正規な用紙であると判断された場合のみ用紙の添削を行うことができる。これにより，上記電子署名発行部６０２において発行された電子署名を電子透かしとして含んだ正規の課題でなければ添削されないので，成りすましによる不正な画像の提供を防止することが可能となる。
【０１３１】
上記ライセンス検証部６０６は，透かし抽出部２５８が抽出したライセンス情報と，ユーザおよび／または添削装置５２０とを比較し，同ユーザおよび／または同添削装置５２０による利用が確認された場合，正規の利用であると判断する。添削部２６２は，かかる用紙が正規なユーザおよび／または添削装置５２０であると判断された場合のみ用紙の添削を行うとしても良い。このようにして，当該用紙書き込み学習システムで利用できるユーザやユーザが利用する添削装置５２０を限定することができ，他のユーザや添削装置からの不正なアクセスを排除することができる。
【０１３２】
また，上記画像出力装置５１０や添削装置５２０として機能せしめるプログラムも提供される。
【０１３３】
また，上記のような用紙書き込み学習システムを実現する用紙書き込み学習方法を以下で説明する。
【０１３４】
図１４は，本実施形態における用紙書き込み学習方法の流れを示したフローチャートである。先ず，当該システムを提供する提供者は，画像出力装置５１０において学習する課題を特定し，課題特定情報２７０，用紙情報２７２，添削情報２７４を取得する（Ｓ６５０）。また，ライセンスされたユーザもしくは添削装置５２０でのみ当該システムを利用してもらうため，ユーザや添削装置５２０を特定したユーザ特定情報を含む登録情報に基づいて，ライセンス情報を生成する（Ｓ６５２）。そして，上記ライセンス情報に応じて，画像出力装置５１０の秘密鍵を用いた電子署名も生成する（Ｓ６５４）。
【０１３５】
続いて，このように取得された課題特定情報２７０，用紙情報２７２，添削情報２７４，ライセンス情報および電子署名を電子透かしとして付与した透かし画像を生成し（Ｓ６５６），生成された透かし画像をプリンタ等により出力する（Ｓ６５８）。かかる画像生成工程（Ｓ６５６）では，必要に応じて罫線や桝目などを画像に追加することもできる。このように出力された電子透かし用紙は，本システムを利用するユーザに用紙ベースで配布される。
【０１３６】
ユーザは，課題に応じて上記の用紙に書き込みを行う。その後，ユーザが書き込んだ後の用紙を添削装置５２０が読み取り（Ｓ６７０），読み取った画像におけるユーザが書き込んだ文字，および読み取った画像の電子透かしから上記課題特定情報２７０，用紙情報２７２，添削情報２７４，ライセンス情報および電子署名が抽出される（Ｓ６７２）。かかる課題特定情報２７０によって，識別番号を入力するなどの特別な処理を行うことなく課題を特定することができる。
【０１３７】
続いて，添削装置５２０は，透かし抽出工程（Ｓ６７２）で抽出された電子署名に基づいて，当該電子透かし用紙が，正規に画像出力装置５１０から出力されたものであるかどうかを判断する（Ｓ６７４）。そして，ユーザにユーザＩＤやパスワードの入力を要求し（Ｓ６７６），かかるユーザＩＤやパスワードによってユーザを認証し，また，添削装置５２０自体も特定する（Ｓ６７８）。その後，透かし抽出工程（Ｓ６７２）で抽出されたライセンス情報が正規のライセンスに基づいて発行されたライセンス情報であるかどうかの認証を行い（Ｓ６８０），全ての認証条件を満足すると以後の工程が継続される。
【０１３８】
次に，透かし抽出工程（Ｓ６７２）で抽出された用紙情報２７２に基づいて，ユーザが用紙に書き込んだ画像を復元する（Ｓ６８２）。これは，電子透かし画像中の各ユニットパターンを基準にして画像の歪みを補正し，罫線など用紙に元々あった部分を除いてユーザが書いた部分のみを抽出することで実施される。具体的には上述の特開２００３−２０９６７６号公報に記載された抽出方法を参照する。そして，上記透かし抽出工程（Ｓ６７２）で抽出された上記課題特定情報２７０と添削情報２７４および正規の用紙であるかどうかの情報に基づいて，当該ユーザが書き込みした用紙の添削を行う（Ｓ６８４）。その後，かかる添削の結果が出力される（Ｓ６８６）。
【０１３９】
第６の実施形態の実施により，ライセンスのないユーザやユーザの添削装置５２０からの不正利用を防止することができる。また，画像出力装置５１０から提供されるライセンス情報は画像出力装置５１０の電子署名等の暗号技術によって保護されているので，ライセンス情報の偽造も併せて防止することができる。また画像出力装置５１０は，特定ユーザの該学習システムの利用履歴および／または添削に関する情報によりユーザの学習レベルを導出し，ユーザの自己学習の進捗状況を把握することができる。
【０１４０】
また，上記第５および６の実施形態において画像出力装置を本システムの提供者側の装置，添削装置をユーザ側の装置として説明したが，その逆も成り立つ。さらに，両装置が提供者側に，もしくは，ユーザ側に設けられるとしても良い。この場合，両装置を一体の装置で構成することも可能である。
【０１４１】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【０１４２】
例えば，上記用紙書き込み学習システムで利用される電子透かし用紙に用いられるユニットパターンは，白黒やカラーで表すことが可能であり，部分的に色を変えることもできる。またユニットパターンの点の太さ（大きさ）を変えて濃淡差をつけるとしても良い。例えば，電子透かし用紙において，手本となる文字を予め印刷する場合に，ユニットパターンの色またはそのドットの大きさを他の領域と変えて表現する。
【０１４３】
図１５は，このような手本となる文字を予め出力した電子透かし用紙の外観図である。図１５においては，文字が描かれている部分とその他の領域がユニットパターンのドットの大きさ（濃度）を変えて表示されている。ユニットパターンの色を変えることにより手本の文字を表示するとしても良い。従って，用紙全体に電子透かしが埋め込まれていることになり，電子透かしの付与領域を有効に活用できる。
【０１４４】
また，上記の実施形態では，正しい筆跡の情報（手本）としてベクトル表現されたデータを例に挙げたが，かかるデータに限定されず，他の形式のデータでも良い。例えば画素単位で表現するラスターデータでも良く，更にこれらのデータを圧縮することもできる。
【０１４５】
また，上記の実施形態では，習字や絵画等の文字や絵を描く技術習得を挙げて説明しているが，かかる目的に限定されず，配列された行と列毎に表示された数字に応じてマス目を塗りつぶし，イラストを完成する「イラスト・ロジック」や「お絵描きロジック」と呼ばれるロジックパズルの正解判定など，ユーザが用紙に記入し，それを検証するといった様々な用途に本実施形態を適用することができる。
【０１４６】
また，上記の実施形態に加えてクライアント／サーバ間，例えば，学習装置３６０やユーザ端末２００との通信において，ユーザのユーザＩＤやパスワードによる認証行為が行われるとしても良い。このとき，ＳＳＬやＩＰ−ｓｅｃなどの暗号化通信を行っても良い。また，第４や第６の実施形態に置いては，ユーザＩＤやパスワードによってユーザの認証を行っているが，かかる場合に限定されず，例えば，指紋，虹彩などの生体認証や，ＩＣカードを用いた個人認証などを利用するとしても良い。
【０１４７】
さらに，上記の実施形態では，電子透かしを印刷する対象として用紙を利用しているが，勿論用紙以外の媒体も本発明の範囲に含まれる。例えば金属，繊維，プラスチックなどを利用するとしても良い。このような印刷媒体は，上述した学習する課題を特定する課題特定情報，上記課題の添削のための手本とする画像を含む添削情報，該印刷媒体上の位置関係を示した印刷媒体情報を電子透かしとして付与した透かし画像を印刷することが可能であり，印刷面に重ねて書き込みができる媒体である。また，ユーザおよび／またはユーザ端末を特定するユーザ特定情報を含む登録情報に基づいて生成されるライセンス情報や上記ライセンス情報を含むデータを該画像出力装置の秘密鍵で暗号化して生成される電子署名も電子透かしとして付与されるとしても良い。
【０１４８】
なお，本明細書の用紙書き込み学習方法における各工程は，必ずしもフローチャートとして記載された順序に沿って時系列に処理する必要はなく，並列的あるいは個別に実行される処理（例えば，並列処理あるいはオブジェクトによる処理）も含むとしても良い。
【産業上の利用可能性】
【０１４９】
本発明は，用紙による自己学習を可能とする用紙書き込み学習システム，用紙書き込み学習方法，画像出力装置，添削装置，および印刷媒体に適用可能である。
【図面の簡単な説明】
【０１５０】
【図１】電子透かしに埋め込む任意のパターンを説明するための説明図である。
【図２】電子透かしによって印刷された画像（用紙）を説明するための外観図である。
【図３】第１の実施形態におけるユーザ端末のハードウェア構成を概略的に示すブロック図である。
【図４】第１の実施形態におけるユーザ端末の具体的構成を概略的に示すブロック図である。
【図５Ａ】画像出力部で出力された用紙の取り扱いを説明するための説明図である。
【図５Ｂ】画像出力部で出力された用紙の取り扱いを説明するための説明図である。
【図５Ｃ】画像出力部で出力された用紙の取り扱いを説明するための説明図である。
【図６】第２の実施形態における用紙書き込み学習方法の流れを示したフローチャートである。
【図７】第３の実施形態における用紙書き込み学習システムの構成を概略的に示すブロック図である。
【図８】第３の実施形態における用紙書き込み学習方法の流れを示したフローチャートである。
【図９】第４の実施形態における用紙書き込み学習システムの構成を概略的に示すブロック図である。
【図１０】第４の実施形態における用紙書き込み学習方法の流れを示したフローチャートである。
【図１１】第５の実施形態における用紙書き込み学習システムの構成を概略的に示すブロック図である。
【図１２】第５の実施形態における用紙書き込み学習方法の流れを示したフローチャートである。
【図１３】第６の実施形態における用紙書き込み学習システムの構成を概略的に示すブロック図である。
【図１４】第６の実施形態における用紙書き込み学習方法の流れを示したフローチャートである。
【図１５】手本となる文字を予め出力した電子透かし用紙の外観図である。
【符号の説明】
【０１５１】
２００  ユーザ端末
２５０  情報記憶部
２５２  画像生成部
２５４  画像出力部
２５６  用紙読み取り部
２５８  透かし抽出部
２６０  画像復元部
２６２  添削部
２６４  添削結果出力部
２８０  電子透かし用紙（印刷媒体）
３６０  学習装置
３６２  学習装置通信部
３６４  ユーザ通信部
４００  添削認証部
４０２  添削要求部
４０４  ライセンス認証部
４０６  ライセンス要求部
５２２  課題情報記憶部
６００  ライセンス発行部
６０２  電子署名発行部
６０４  電子署名検証部
６０６  ライセンス検証部
【図１】
2006153947.tif 000003
【図２】
2006153947.tif 000004
【図３】
2006153947.tif 000005
【図４】
2006153947.tif 000006
【図５Ａ】
2006153947.tif 000007
【図５Ｂ】
2006153947.tif 000008
【図５Ｃ】
2006153947.tif 000009
【図６】
2006153947.tif 000010
【図７】
2006153947.tif 000011
【図８】
2006153947.tif 000012
【図９】
2006153947.tif 000013
【図１０】
2006153947.tif 000014
【図１１】
2006153947.tif 000015
【図１２】
2006153947.tif 000016
【図１３】
2006153947.tif 000017
【図１４】
2006153947.tif 000018
【図１５】
2006153947.tif 000019